(57)【要約】【課題】収納凹部の再封機能を有し、且つ収納凹部が開封された場合には開封されたことが一目で分かる所謂改ざん防止機能を有するブリスター包装体を提供することである。【解決手段】ブリスター包装体１０は、カバー部材２０と、封止シート３０とを備える。カバー部材２０は、物品が収納される複数の収納凹部２１ａ，２１ｂと、各収納凹部の端縁から延設され各収納凹部の周囲に設けられたフランジ部２２ａ，２２ｂとを有する。封止シート３０は、フランジ部２２ａ，２２ｂに対して剥離可能且つ再貼付可能に貼付され、収納凹部２１ａ，２１ｂの開口部を覆っている。例えば、カバー部材２０に第２切断補助線２６ａ，２６ｂが、封止シート３０に第１切断補助線３６ａ，３６ｂがそれぞれ形成されている。第２切断補助線２６ａ、第１切断補助線３６ａに沿ってカバー部材２０及び封止シート３０を切断することにより、収納凹部２１ａの開封に用いられる摘み部３７ａが形成される。【選択図】図６
2015168443.tif 000002
【特許請求の範囲】
【請求項１】
物品が収納される収納凹部と、前記収納凹部の端縁から延設され前記収納凹部の周囲に設けられたフランジ部とを有するカバー部材と、
前記フランジ部に対して剥離可能且つ再貼付可能に貼付され、前記収納凹部の開口部を覆う封止シートと、
を備えたブリスター包装体であって、
前記封止シートには、第１切断補助線が形成されており、当該切断補助線に沿って少なくとも前記封止シートを切断することにより、前記収納凹部の開封に用いられる摘み部が形成される、ブリスター包装体。
【請求項２】
前記封止シートの周端縁は、略全域が前記フランジ部に対して剥離可能且つ再貼付可能に貼付され、
前記カバー部材の前記フランジ部には、第２切断補助線が形成されており、
前記摘み部は、前記第１及び前記第２切断補助線に沿って前記封止シート及び前記カバー部材を切断することにより形成される、請求項１に記載のブリスター包装体。
【請求項３】
前記第１切断補助線の少なくとも一部は、前記第２切断補助線に対して、当該各切断補助線を用いて開封される前記収納凹部と反対側に突出して形成されている、請求項２に記載のブリスター包装体。
【請求項４】
前記封止シートは、前記摘み部となる部分に、前記フランジ部と接着しない非粘着領域を有する、請求項１〜３のいずれか１項に記載のブリスター包装体。
【請求項５】
前記封止シートは、前記摘み部となる部分に形成された前記非粘着領域と、前記収納凹部との間に、前記フランジ部と接着する粘着領域を有する、請求項４に記載のブリスター包装体。
【発明の詳細な説明】
【技術分野】
【０００１】
本発明は、ブリスター包装体に関し、特に一旦開封した物品の収納凹部を再封することができるブリスター包装体に関する。
【背景技術】
【０００２】
医薬品、乾電池、口腔衛生用品、化粧品、ネジ等の機械部品、菓子等の食品、玩具など、各種物品を包装する形態として、ブリスター包装体が知られている。例えば、特許文献１は、合成樹脂製シートの成形品からなるカバー部材と、封止シートとを備えたブリスター包装体を開示している。カバー部材は、物品が収納される収納凹部と、収納凹部の周囲に設けられたフランジ部とを有し、封止シートは、フランジ部の裏面に貼付され、収納凹部の開口部を覆っている。
【０００３】
また、特許文献１には、シート捲り始端縁を摘んで引っ張ることでミシン線に沿って封止シートが切断され、収納凹部を開封できること、及び一旦剥離した封止シートを元に戻して、収納凹部を再封できることが記載されている。
【先行技術文献】
【特許文献】
【０００４】
【特許文献１】特開２０１３−６７４０６号公報
【発明の概要】
【発明が解決しようとする課題】
【０００５】
上記のように、特許文献１のブリスター包装体によれば、開封した収納凹部を再封することができるので、収納凹部に複数の物品が収納されている場合には、所定数の物品を取り出した後に封止シートを再封することで、残りの物品を収納凹部内に密封した状態で保管することができる。近年、このような再封機能を有するブリスター包装体において、例えば、流通過程において悪戯等により開封された場合であっても、開封の有無を明確に識別できることもさらに望まれている。
【０００６】
即ち、本発明の目的は、収納凹部の再封機能を有し、且つ収納凹部が開封された場合には開封されたことが一目で分かる所謂改ざん防止機能を有するブリスター包装体を提供することである。
【課題を解決するための手段】
【０００７】
本発明に係るブリスター包装体は、物品が収納される収納凹部と、前記収納凹部の端縁から延設され前記収納凹部の周囲に設けられたフランジ部とを有するカバー部材と、前記フランジ部に対して剥離可能且つ再貼付可能に貼付され、前記収納凹部の開口部を覆う封止シートとを備えたブリスター包装体であって、前記封止シートには、第１切断補助線が形成されており、当該切断補助線に沿って少なくとも前記封止シートを切断することにより、前記収納凹部の開封に用いられる摘み部が形成されることを特徴とする。
【０００８】
本発明に係るブリスター包装体において、前記封止シートの周端縁は、略全域が前記フランジ部に対して剥離可能且つ再貼付可能に貼付され、前記カバー部材の前記フランジ部には、第２切断補助線が形成されており、前記摘み部は、前記第１及び前記第２切断補助線に沿って前記封止シート及び前記カバー部材を切断することにより形成されることが好適である。
【０００９】
前記第２切断補助線を備えた構成において、前記第１切断補助線の少なくとも一部は、前記第２切断補助線に対して、当該各切断補助線を用いて開封される前記収納凹部と反対側に突出して形成されていることが好適である。
【００１０】
また、前記封止シートは、前記摘み部となる部分に、前記フランジ部と接着しない非粘着領域を有することが好適である。
【００１１】
前記非粘着領域を備えた構成において、前記封止シートは、前記摘み部となる部分に形成された前記非粘着領域と、前記収納凹部との間に、前記フランジ部と接着する粘着領域を有することが好適である。
【発明の効果】
【００１２】
本発明に係るブリスター包装体は、収納凹部の再封機能、及び収納凹部の開封の有無が一目で分かる所謂改ざん防止機能を有する。即ち、本発明のブリスター包装体によれば、一旦開封した収納凹部を再封できるにも関わらず、流通過程において悪戯等により収納凹部が開封された場合に、開封されたことが一目で分かる。本発明のブリスター包装体は、例えば衛生面が重要視される物品の包装に好適である。
【図面の簡単な説明】
【００１３】
【図１】本発明の第１実施形態であるブリスター包装体を示す正面図である。
【図２】図１のＡＡ線断面図である。
【図３】図１のＢＢ線断面図である。
【図４】図２のＣ部拡大図である。
【図５】図１において、隠蔽層の配置を示す図である。
【図６】本発明の第１実施形態であるブリスター包装体を１次開封して摘み部が形成された状態を示す図である。
【図７】図６のＤＤ線断面図である。
【図８】本発明の第１実施形態であるブリスター包装体の製造方法を説明するための図である。
【図９】本発明の第１実施形態であるブリスター包装体の変形例を示す図である。
【図１０】図９のＥＥ線断面図である。
【図１１Ａ】本発明の第１実施形態であるブリスター包装体の他の変形例を示す図である。
【図１１Ｂ】本発明の第１実施形態であるブリスター包装体の他の変形例を示す図である。
【図１２】本発明の第２実施形態であるブリスター包装体を示す断面図である。
【図１３】本発明の第２実施形態であるブリスター包装体を１次開封して摘み部が形成された状態を示す図である。
【図１４】本発明の第３実施形態であるブリスター包装体を示す正面図である。
【発明を実施するための形態】
【００１４】
以下、図面を参照しながら、本発明の実施形態の一例について詳細に説明する。
実施形態において参照する図面は、模式的に記載されたものであり、図面に描画された構成要素の寸法比率などは、現物と異なる場合がある。具体的な寸法比率等は、以下の説明を参酌して判断されるべきである。
【００１５】
なお、本明細書において、「略＊＊」の用語は、「略全域」を例に挙げて説明すると、全域はもとより実質的に全域と認められるものを含む意図である。
【００１６】
実施形態の説明では、上下左右、表裏等の方向を示す用語を使用するが、その方向と各構成要素との関係が限定されるものではない。本発明の第１実施形態であるブリスター包装体１０の場合は、包装体が吊り下げられた状態を基準とした方向を用いる。より詳しくは、封止シート３０の面に対して直交する方向であって、カバー部材２０側から見たときの方向を用いる。
【００１７】
以下では、２つの収納凹部を有するブリスター包装体を例示するが、収納凹部の数はこれに限定されず、１つであってもよいし、３つ以上であってもよい。また、収納凹部に収納される物品（図示せず）は特に限定されず、上記のように、医薬品、乾電池、口腔衛生用品、化粧品、ネジ等の機械部品、菓子等の食品、玩具などが例示できる。収納凹部の形状や寸法は、収納する物品の形状、寸法、個数等によって適宜設定される。
【００１８】
また、以下では、収納凹部２１ａ，２１ｂの周囲に形成されたフランジ部を、それぞれフランジ部２２ａ，２２ｂとする。フランジ部２２ａ，２２ｂの境界は、切断補助線２６ｂ（第２切断補助線）が形成された位置とする。
【００１９】
＜第１実施形態＞
以下、図１〜図８を参照しながら、第１実施形態である包装体１０について詳細に説明する。図１は、ブリスター包装体１０の正面図であり、図２及び図３は、それぞれ図１のＡＡ線断面図、ＢＢ線断面図である。
【００２０】
図１〜図３に示すように、ブリスター包装体１０は、カバー部材２０と、封止シート３０とを備える。カバー部材２０は、物品が収納される複数の収納凹部２１ａ，２１ｂと、各収納凹部の端縁から延設され各収納凹部の周囲に設けられたフランジ部２２ａ，２２ｂとを有する。封止シート３０は、フランジ部２２ａ，２２ｂに対して剥離可能且つ再貼付可能に貼付され、収納凹部２１ａ，２１ｂの開口部を覆っている。
【００２１】
ブリスター包装体１０において、封止シート３０は、カバー部材２０と対向する表面に形成された粘着剤層３２（図３参照）を介して、フランジ部２２ａ，２２ｂの裏面（以下、「被貼付面」という場合がある）に剥離可能且つ再貼付可能に貼付されている。即ち、ブリスター包装体１０は、一旦開封した収納凹部２１ａ，２１ｂを再封できる、所謂リシール機能を有する包装体である。
【００２２】
ブリスター包装体１０（カバー部材２０及び封止シート３０）は、例えば正面視において左右よりも上下に長い略矩形形状を有する。カバー部材２０は、封止シート３０よりも大きく、フランジ部２２ａ，２２ｂが封止シート３０の周端縁から四方（上下左右）に張り出していることが好適である。ブリスター包装体１０の周端縁には、例えばカバー部材２０のみからなる領域が存在する。また、封止シート３０の周端縁は、略全域がフランジ部２２の裏面に貼付されていることが好適である。
【００２３】
ブリスター包装体１０には、切断補助線が形成されている。切断補助線は、収納凹部２１ａ，２１ｂを開封するための必須構成要素であると共に、本実施形態では、さらにブリスター包装体１０を３つの部分に分割するために使用される。詳しくは後述するように、ブリスター包装体１０は、収納凹部２１ａ，２１ｂの開封の有無が一目で分かる改ざん防止機能を有する。ブリスター包装体１０には、切断補助線に沿ってカバー部材２０及び封止シート３０を切断することで、収納凹部２１ａ，２１ｂを開封する際に用いられる摘み部が形成される。以下では、摘み部を形成するための開封を「１次開封」、摘み部を用いた収納凹部２１ａ，２１ｂの開封を「２次開封」又は単に「開封」という場合がある。
【００２４】
ブリスター包装体１０は、例えば上から順に、切断補助線により区画されたヘッダー部１１ｃ、第１ケース１１ａ、及び第２ケース１１ｂを有する。第１ケース１１ａ，１１ｂは、それぞれ収納凹部２１ａ，２１ｂを有し、分割後においても各収納凹部に物品を収納しておくことができる。ヘッダー部１１ｃは、例えば商品名やデザイン等の表示部として機能し、デザイン等に応じて適当な寸法に設定される。本実施形態では、カバー部材２０に切断補助線２６ａ，２６ｂ（第２切断補助線）が、封止シート３０に切断補助線３６ａ，３６ｂ（第１切断補助線）がそれぞれ形成されている。
【００２５】
ブリスター包装体１０は、店頭で吊り下げ陳列されることを想定した形態とすることができる。ヘッダー部１１ｃの上端縁近傍には、例えば左右方向の略中央部に、ハンガーフック等が通される吊り下げ孔２５が形成されている。吊り下げ孔２５は、カバー部材２０を厚み方向（表裏方向）に打ち抜いて形成することができる。封止シート３０には、吊り下げ孔２５を避けるように正面視略Ｕ字状の切欠き３４が形成されている。
【００２６】
以下、図４〜図７をさらに参照しながら、カバー部材２０及び封止シート３０の構成について、それぞれ詳説すると共に、改ざん防止構造について詳説する。図４は、図２のＣ部拡大図である。図５は、隠蔽層３３（ハッチング部分）の配置を示す図である。図６及び図７（図６のＤＤ線断面図）は、１次開封により摘み部３７ａが形成された状態を示す図である。
【００２７】
カバー部材２０は、上下に所定間隔をあけて並設された２つの収納凹部２１ａ，２１ｂを有する。即ち、収納凹部２１ａ，２１ｂは、互いにつながっておらず、それぞれ独立している。収納凹部２１ａ，２１ｂは、例えば正面壁と、正面壁の周端縁から正面壁に略直交して延設された側壁とをそれぞれ有する。開口部は、正面壁と略同一の面積を有し、正面壁及び開口部は、いずれも正面視略矩形形状に形成されている。本実施形態では、収納凹部２１ａ，２１ｂの形状及び寸法は互いに略同一であるが、当該形状や寸法は、上記のように収納する物品に応じて適宜変更できる。また、各収納凹部の形状等は、互いに異なっていてもよい。
【００２８】
フランジ部２２ａ，２２ｂは、収納凹部２１ａ，２１ｂの周囲に形成されている。即ち、フランジ部２２ａ，２２ｂは、各収納凹部２１ａ，２１ｂの端縁から四方に延設されている。フランジ部２２ａ，２２ｂは、封止シート３０が貼付される部分であると共に、各収納凹部２１ａ，２１ｂを区画する部分でもある。
【００２９】
フランジ部２２ａ，２２ｂの幅は、封止シート３０とのシール性等の観点から、２ｍｍ以上が好ましく、３ｍｍ以上がより好ましい。フランジ部２２ａ，２２ｂの幅は、例えば収納凹部２１ａの上端縁から上方に延設される部分を除いて略同一の幅を有する。収納凹部２１ａの上端縁から上方に延設される部分は、他の部分よりも幅広に形成されており、その上端縁近傍には吊り下げ孔２５が形成されている。なお、各フランジ部２２ａ，２２ｂは、互いに略同一平面上に形成されている。
【００３０】
フランジ部２２ａ，２２ｂの裏面には、封止シート３０の摘み形成予定部３５ａ，３５ｂ及びその近傍に対応する領域を除いて、封止シート３０が貼付されていることが好適である。即ち、フランジ部２２の裏面は、摘み形成予定部３５ａ，３５ｂ及びその近傍に対応する領域を除く略全域が被貼付面であって、カバー部材２０と封止シート３０との間には、１次開封前において指が入るような隙間が存在しないことが好ましい。
【００３１】
ここで、摘み形成予定部３５ａ（摘み形成予定部３５ｂについても同様）とは、切断補助線２６ａ，３６ａに沿ってカバー部材２０及び封止シート３０を切断したときに摘み部３７ａとなる部分である。ブリスター包装体１０が設計通りに１次開封された場合には、摘み形成予定部３５ａと摘み部３７ａの形態（形状及び寸法）は同じになる。
【００３２】
カバー部材２０は、収納凹部２１ａよりも上部に形成された切断補助線２６ａと、収納凹部２１ａと収納凹部２１ｂとの間に形成された切断補助線２６ｂとを有する。切断補助線２６ａ，２６ｂは、左右方向に沿って略直線状に、且つカバー部材２０の全幅に亘って形成されることが好適である。切断補助線２６ｂは、例えば収納凹部２１ａと収納凹部２１ｂとの間の略真ん中を横切って、切断補助線２６ａと略平行に形成される。切断補助線２６ａ，２６ｂの両端には、各切断補助線に沿ったカバー部材２０の切断を容易にすべく、カバー部材２０の外端縁を切欠いてノッチ２４ａ，２４ｂを形成することが好ましい。
【００３３】
切断補助線２６ａ，２６ｂとしては、ハーフカット線、ミシン目線、又はこれらの組み合わせが挙げられる。ミシン目線は、カバー部材２０の厚み方向に貫通する貫通孔と非貫通部が交互に配列されてなる線である。貫通孔の正面視形状は、特に限定されず、真円形状、楕円形状、三角形状等の多角形状、直線状、Ｖ字状、Ｙ字状などが例示できる。また、貫通孔のピッチ（間隔）も特に限定されず適宜設定できる。
【００３４】
カバー部材２０は、非透明な材料から構成されてもよいが、収納凹部２１ａ，２１ｂに収納された物品等が見えるように、透明又は半透明のプラスチックシートから構成されることが好ましい。プラスチックシートの構成材料は、特に限定されず、ポリエチレンテレフタレート、ポリ塩化ビニル、ポリプロピレン、ポリスチレン等が例示できる。カバー部材２０は、従来公知の射出成形法やシート成形法によって形成することができる。カバー部材２０の厚みは、例えば０．１〜２ｍｍであり、好ましくは０．２〜１ｍｍである。また、カバー部材２０には、商品名やデザイン等を表示する印刷が施されていてもよいし、種々のタックシールが貼付されていてもよい。
【００３５】
封止シート３０は、物品が収納された収納凹部２１ａ，２１ｂの開口部を塞ぐための部材である。封止シート３０は、収納凹部２１ａ，２１ｂの周囲に設けられたフランジ部２２ａ，２２ｂに剥離可能且つ再貼付可能に貼付されることで、収納凹部２１ａ，２１ｂの開口部を閉塞する。封止シート３０は、一旦フランジ部２２ａ，２２ｂから剥離した後も、元の状態に戻すことにより収納凹部２１ａ，２１ｂを再封することができる。
【００３６】
図４に示すように、封止シート３０は、基材３１と、基材３１の表面に形成された粘着剤層３２と、粘着剤層３２の一部を覆って形成された隠蔽層３３とを有する。封止シート３０の形状は、基材３１の形状により決定される。基材３１は、例えば正面視略矩形形状を有する。基材３１は、カバー部材２０のフランジ部２２が封止シート３０よりも外側に延出するように、カバー部材２０よりも一回り小さく形成されている。
【００３７】
基材３１の構成材料は、特に限定されず、紙、合成紙、樹脂フィルム等が例示できる。これらのうち、合成紙又は樹脂フィルムを用いることが好ましい。基材３１は、単層構造、積層構造のいずれであってもよく、また基材３１上には、粘着剤層３２、隠蔽層３３以外の層、例えば金属蒸着層や、商品名、デザイン、商品説明（例えば、物品の説明や包装体の開封方法）等を表示するための印刷層などが形成されていてもよい。基材３１の厚みは、例えば０．０５〜１．０ｍｍであり、好ましくは０．１〜０．５ｍｍである。基材３１は、非透明な材料から構成されていても透明な材料から構成されていてもよい。基材３１が透明又は半透明の樹脂フィルムから構成された場合には、封止シート３０を通して、収納凹部２１ａ，２１ｂに収納された物品等を目視することができる。
【００３８】
粘着剤層３２は、常温で粘着性を有する粘着剤（感圧粘着剤）から構成される。粘着剤層３２は、カバー部材２０に対向する基材３１の表面に形成される。本実施形態では、基材３１の表面の略全域に粘着剤層３２が形成されている。粘着剤層３２の厚みは、３〜５０μｍ程度であり、好ましくは１０〜３０μｍ程度である。
【００３９】
粘着剤層３２を構成する粘着剤は、常温で粘着性を有し、フランジ部２２ａ，２２ｂ等に対して剥離可能且つ再貼付可能なものであれば特に限定されず、溶剤系、水系、ホットメルト系、ＵＶ系など、従来公知の粘着剤を用いることができる。粘着剤層３２の粘着面（表面）の剥離強度は、３〜２０Ｎ／２５ｍｍであることが好ましく、５〜１５Ｎ／２５ｍｍがより好ましい。ここで、粘着面の剥離強度とは、ＪＩＳ  Ｚ  ０２３７の１８０度剥離に準じた方法で測定された値である。具体的には、粘着剤層３２を形成した１００ｍｍ×２５ｍｍの樹脂フィルム（試験片）をポリエチレンテレフタレート製の被着体に貼り付け、３００ｍｍ／分の速度で１８０度に試験片を引っ張り、試験片が剥離したときの最大応力値である。
【００４０】
隠蔽層３３は、粘着剤層３２の粘着性を隠蔽するための層であって、その表面はカバー部材２０や物品等に接着しない非粘着面となる。即ち、封止シート３０の表面において、隠蔽層３３が設けられていない領域は粘着剤層３２が露出した粘着領域となり、隠蔽層３３が設けられた領域は粘着剤層３２が隠蔽された非粘着領域となる。
【００４１】
図５に示すように、隠蔽層３３は、カバー部材２０の収納凹部２１ａ，２１ｂに対応する部分、即ち封止シート３０の表面において収納凹部２１ａ，２１ｂを覆う領域に設けられることが好適である。これにより、収納凹部２１ａ，２１ｂに収納された物品が封止シート３０に接着することを防止できる。詳しくは後述するように、隠蔽層３３は、摘み形成予定部３５ａ，３５ｂの表面にも設けられている。
【００４２】
隠蔽層３３は、例えば粘着剤層３２の表面に樹脂フィルムを貼付することで形成できる。これにより、粘着剤が滲み出ることなく、隠蔽層３３が設けられた領域を非粘着領域とすることができる。本実施形態では、セパレータ３３ｚの一部を粘着剤層３２上に残すことで隠蔽層３３が形成されている（後述の図８参照）。なお、非粘着領域の形成方法は、これに限定されず、マスキング剤（例えば、紫外線硬化型樹脂を含む紫外線硬化型インキ等）を５〜３０μｍ程度の厚みで粘着剤層３２上に塗布する方法や、粘着剤層３２を選択的に形成する方法等であってもよい。
【００４３】
封止シート３０は、収納凹部２１ａに対応する部分よりも上部に形成された切断補助線３６ａと、収納凹部２１ａと収納凹部２１ｂとの間隙に対応する部分に形成された切断補助線３６ｂとを有する。切断補助線３６ａ，３６ｂは、切断補助線２６ａ，２６ｂと同様に、互いに略平行であり、封止シート３０の全幅に亘ってそれぞれ形成されることが好適である。一方、切断補助線３６ａ，３６ｂは、切断補助線２６ａ，２６ｂとは異なり、非直線状に形成されている。
【００４４】
切断補助線３６ａ，３６ｂは、ハーフカット線、ミシン目線、又はこれらの組み合わせのいずれであってもよい。切断補助線３６ａ，３６ｂにミシン目線を適用する場合、貫通孔の正面視形状は特に限定されないが、好ましくはＶ字状又はＹ字状である。
【００４５】
切断補助線３６ａの少なくとも一部は、カバー部材２０に形成される切断補助線２６ａよりも上部に形成されることが好適である。即ち、切断補助線３６ａの少なくとも一部は、切断補助線２６ａと表裏方向に重なっておらず、切断補助線２６ａに対して収納凹部２１ａと反対側に突出して形成されていることが好適である。同様に、切断補助線３６ｂの少なくとも一部は、切断補助線２６ｂに対して、切断補助線２６ｂ，３６ｂを用いて開封される収納凹部２１ｂと反対側（即ち、収納凹部２１ａ側）に突出して形成されていることが好適である。
【００４６】
切断補助線３６ａは、例えば両端部だけが切断補助線２６ａと重なり、封止シート３０の幅方向略中央部で切断補助線２６ａから最も離間するように形成されることが好適である。また、切断補助線３６ａは、一部だけ急峻に突出するのではなく、切断補助線３６ａの両端部から中央部に向かって徐々に切断補助線２６ａから離れることが好適である。
【００４７】
本実施形態では、切断補助線３６ａ，３６ｂの正面視形状が互いに略同一であり、摘み形成予定部３５ａ，３５ｂの正面視形状も互いに略同一である。ゆえに、切断補助線３６ａ，３６ｂ、摘み形成予定部３５ａ，３５ｂで共通する内容は、切断補助線３６ａ、摘み形成予定部３５ａを例に挙げて以下説明する。
【００４８】
切断補助線３６ａは、例えば正面視において、緩やかな山形に形成される。当該山の頂上（頂点）は、封止シート３０の幅方向中央部の近傍に形成されることが好ましい。切断補助線３６ａの両端部から山の頂点までは、緩やかな曲線状に形成されてもよいが、好ましくは略直線状に形成される。なお、当該山の頂上にあたる部分は、切断補助線２６ａと略平行に形成されていてもよい。
【００４９】
封止シート３０は、切断補助線２６ａ，３６ａにより形成される摘み形成予定部３５ａを有する。摘み形成予定部３５ａは、正面視において、切断補助線２６ａと切断補助線３６ａとの間に位置しており、例えば略三角形状を有する。摘み形成予定部３５ａの突出長さ（上下方向長さ）は、切断補助線２６ａと切断補助線３６ａとの間隔を大きくするほど長くなる。
【００５０】
封止シート３０は、摘み形成予定部３５ａの最も突出した部分（以下、「最大突出部」という）を含む部分、即ち切断補助線３６ａの頂点を含む部分に、フランジ部２２ａと接着しない非粘着領域を有することが好適である。本実施形態では、摘み形成予定部３５ａ，３５ｂの表面のうち、封止シート３０の幅方向中央部の近傍のみに隠蔽層３３が設けられ、当該最大突出部を含む部分に非粘着領域が形成されている。非粘着領域は、より広い範囲に形成されてもよいが、１次開封後における収納凹部２１ａの封止性を考慮すると、本実施形態では最大突出部の近傍に限定して形成されることが好ましい。
【００５１】
なお、隠蔽層３３は、連続した１つの非粘着領域を形成している。非粘着領域は、封止シート３０の幅方向略中央部において、摘み形成予定部３５ａよりも上から摘み形成予定部３５ｂを超えて収納凹部２１ｂに対応する部分まで、上下方向に連続している。
【００５２】
図６及び図７に示すように、カバー部材２０及び封止シート３０を、切断補助線２６ａ，３６ａに沿って切断することにより摘み部３７ａが形成される。摘み部３７ａは、封止シート３０をフランジ部２２ａから剥離して収納凹部２１ａを開封する２次開封に用いられる部分であって、指で摘まれて当該剥離の起点となる部分である。即ち、１次開封により、カバー部材２０は切断補助線２６ａに沿って真っ直ぐ切断され、封止シート３０は切断補助線３６ａに沿って山形に切断される。これにより、第１ケース１１ａからヘッダー部１１ｃが切り離されると共に、摘み部３７ａが形成される。
【００５３】
摘み部３７ａは、第１ケース１１ａの上端縁に形成される。摘み部３７ａは、フランジ部２２ａの端縁よりも上方に突出しており、第１ケース１１ａの幅方向略中央部に頂点をもつ正面視三角形状を有する。即ち、第１ケース１１ａの幅方向略中央部に摘み部３７ａの最大突出部が形成されている。最大突出部及びその近傍の表面には、隠蔽層３３が設けられ、非粘着領域が形成されている。なお、ヘッダー部１１ｃの封止シート３０には、摘み部３７ａに対応した正面視三角形状の切欠きが形成される。
【００５４】
図８は、上記構成を備えたブリスター包装体１０の製造方法の一例を示す図である。
図８は、所望の形状にカットされた基材３１の表面に粘着剤層３２を介して長尺状のセパレータ３３ｚが貼付された長尺体３０ｚを示している。長尺体３０ｚは、例えば長手方向に沿って複数並んだ基材３１の列を２つ有する。セパレータ３３ｚは、カバー部材２０が貼付されるまでの間、粘着剤層３２の粘着面（表面）を保護すると共に、その一部が隠蔽層３３を形成する。セパレータ３３ｚには、カット線３８が形成されており、例えばカット線３８で囲まれた部分以外の裏面に剥離剤が塗られている。このため、セパレータ３３ｚを剥離すると、カット線で囲まれた部分のみが基材３１の表面に残って隠蔽層３３が形成される。セパレータ３３ｚを剥離した後、カバー部材２０を各基材３１の表面に貼付することにより、ブリスター包装体１０が製造される。
【００５５】
以上のように、上記構成を備えたブリスター包装体１０では、収納凹部２１ａの開封に必要な摘み部３７ａを形成するために、切断補助線２６ａ，３６ａに沿ってカバー部材２０及び封止シート３０を切断する必要がある。つまり、ブリスター包装体１０では、収納凹部２１ａを開封するにあたり、第１ケース１１ａからヘッダー部１１ｃが切り離され、包装体の形状が大きく変化する。したがって、流通過程において悪戯等で収納凹部２１ａが開封された場合には、開封されたことが一目で分かる。なお、収納凹部２１ｂを開封する場合にも、第２ケース１１ｂから第１ケース１１ａが切り離され、包装体の形状が大きく変化するため、開封されたことが一目で分かる。
【００５６】
ブリスター包装体１０では、１次開封により形成された摘み部３７ａを下方に引っ張ることで、収納凹部２１ａを開封（２次開封）することができる（図７参照）。このとき、通常は摘み部３７ａの最大突出部が指で摘まれるが、最大突出部には非粘着領域が形成されており粘着剤層３２が露出していないため、例えば指に粘着剤が付着することを防止できる。また、最大突出部及びその近傍に非粘着領域を形成してフランジ部２２ａに対する貼付を防止することで、切断補助線３６ａに沿った封止シート３０の切断が容易になる。即ち、目的とする形状の摘み部３７ａを形成し易くなる。
【００５７】
封止シート３０の表面とフランジ部２２ａとを接着する粘着剤層３２は、再貼付可能であるから、収納凹部２１ａを一旦開封した後、収納凹部２１ａを再封することができる。このように、ブリスター包装体１０は、リシール機能及び改ざん防止機能を有する。ブリスター包装体１０は、例えば衛生面が重要視される物品の包装に好適である。
【００５８】
なお、上記実施形態は、本発明の目的を損なわない範囲で適宜設計変更できる。
図９〜図１１Ｂに設計変更の例（上記実施形態の変形例）を示す。
【００５９】
図９はブリスター包装体１０ｖの正面図、図１０は図９のＥＥ線断面図である。
図９及び図１０に示すように、ブリスター包装体１０ｖには、切断補助線３６ａの頂点を含む部分に形成される非粘着領域と、収納凹部２１ａに対応する部分に形成される非粘着領域との間に、粘着剤層３２が露出した粘着領域３９ａが形成されている点で、ブリスター包装体１０と異なる。また、収納凹部２１ａに対応する部分に形成される非粘着領域と、切断補助線３６ｂの頂点を含む部分に形成される非粘着領域との間、及び切断補助線３６ｂの頂点を含む部分に形成される非粘着領域と、収納凹部２１ｂに対応する部分に形成される非粘着領域との間にも、粘着領域３９ａ，３９ｂがそれぞれ形成されている。
【００６０】
即ち、ブリスター包装体１０ｖでは、上記各非粘着領域を形成する隠蔽層３３ａｃ、３３ａ、３３ａｂ、３３ｂがつながっておらず互いに分離しており、収納凹部２１ａ，２１ｂの全周囲に封止シート３０ｖが貼付される。これにより、１次開封後においても、収納凹部２１ａ，２１ｂを密閉することができる。
【００６１】
図１１Ａは、ブリスター包装体１０ｗの正面図である。
図１１Ａに示すように、ブリスター包装体１０ｗの封止シート３０ｗには、切込み４０ａ，４０ｂが形成されている。切込み４０ａは、第１ケース１１ａｗの下部において、左右のフランジ部２２ａに対応する部分に形成されている。切込み４０ｂは、第２ケース１１ｂｗの下部において、左右のフランジ部２２ｂに対応する部分に形成されている。例えば、摘み部３７ａを引っ張って封止シート３０ｗを剥離する場合に、封止シート３０ｗの剥離が切込み４０ａの位置で止まり、封止シート３０ｗがフランジ部２２から完全に剥がれてしまうことが防止される。なお、切込み４０ａ，４０ｂの形状はこれに限定されず、封止シート３０ｗの完全な剥離を防止するストッパーとなる種々の形状が挙げられる。
【００６２】
図１１Ｂは、ブリスター包装体１０ｘの正面図である。
図１１Ｂに示すように、ブリスター包装体１０ｘの封止シート３０ｘには、強粘着領域４１ａ，４１ｂ（ドット表示した部分）が形成されている。強粘着領域４１ａ，４１ｂは、粘着剤層３２を形成する粘着剤よりも粘着力が強い粘着剤を、例えば粘着剤層３２上に塗布して形成することができる。強粘着領域４１ａ，４１ｂは、それ以外の領域（隠蔽層３３が設けられていない領域）よりも剥離強度が高いので、封止シート３０ｘを剥離する際のストッパーとなる。
【００６３】
強粘着領域４１ａは、切込み４０ａと同様に、第１ケース１１ａｘの下部において、左右のフランジ部２２ａに対応する部分に形成される。さらに、強粘着領域４１ａは、収納凹部２１ａの下端縁から延設されるフランジ部２２ａに対応する部分にも形成される。即ち、収納凹部２１ａの下部を囲むように、正面視略Ｕ字状に強粘着領域４１ａが形成されている。なお、強粘着領域４１ａは、摘み形成予定部３５ｂにかからない範囲に設けられることが好適である。強粘着領域４１ｂについても、第２ケース１１ｂｘにおいて強粘着領域４１ａと同様の位置に形成されている。当該構成によれば、ブリスター包装体１０ｗの場合と同様に、摘み部３７ａを引っ張って封止シート３０ｘを剥離する場合に、封止シート３０ｘの剥離が強粘着領域４１ａの位置で止まり、封止シート３０ｘがフランジ部２２から完全に剥がれてしまうことが防止される。さらに、収納凹部２１ａの下端縁から延設されるフランジ部２２ａと封止シート３０ｘとの接着力が強くなり、当該フランジ部の封止シート３０ｘからの剥離が高度に抑制される。これにより、収納凹部２１ａに収納された物品の脱落が防止される。なお、強粘着領域４１ａ，４１ｂは、正面視Ｕ字状に限定されず、例えば、第１ケース１１ａｘ、第２ケース１１ｂｘの左右のフランジ部２２ａ，２２ｂに対応する部分にのみポイント的に設けられてもよい。
【００６４】
また、第１実施形態及びその変形例において、切断補助線２６ａと重なるように切断補助線３６ａを直線状に形成した場合も、摘み部を形成することができる。この場合は、フランジ部２２ａの端縁よりも上方に突出した摘み部は形成されないが、切断補助線３６ａが形成される部分に非粘着領域を形成することにより、カバー部材と封止シートとの間に指を入れることが可能となり、非粘着領域を形成した部分が摘み部となり得る。
【００６５】
＜第２実施形態＞
以下、図１２及び図１３を参照しながら、第２実施形態であるブリスター包装体５０について詳細に説明する。以下では、第１実施形態との相違点を主に説明し、第１実施形態と同一又は類似の構成要素については重複する説明を省略する。図１２は、ブリスター包装体５０の断面図である。図１３は、ブリスター包装体５０を１次開封して、摘み部６３ａ，６３ｂを形成した状態を示す図である。
【００６６】
図１２に示すように、ブリスター包装体５０は、カバー部材５１の切断補助線５５及び封止シート６０の切断補助線６１が２つの収納凹部５２ａ，５２ｂの間のみに形成されている点で、ブリスター包装体１０と異なる。さらに、ブリスター包装体５０は、カバー部材５１が、封止シート６０の摘み形成予定部６２ａ，６２ｂとの間に隙間を形成するための凹部５４を有する。そして、図１３に示すように、ブリスター包装体５０では、切断補助線５５，６１に沿ってカバー部材５１及び封止シート６０を切断することにより、包装体が第１ケース６５ａと第２ケース６５ｂに分離されると共に、２つの摘み部６３ａ，６３ｂが形成される。即ち、ブリスター包装体５０には、１次開封により、凹部５４が設けられた部分に２つの摘み部６３ａ，６３ｂが形成される。
【００６７】
凹部５４は、各収納凹部５２ａ，５２ｂとつながっていてもよいが、１次開封後における収納凹部５２ａ，５２ｂの密閉性の観点から、収納凹部５２ａ，５２ｂとの間に封止シート６０が貼付されるフランジ部５３ａ，５３ｂを有することが好適である。凹部５４は、例えば収納凹部５２ａ，５２ｂよりも深さが浅く（側壁の表裏方向長さが短い）、カバー部材５１の幅方向中央部の近傍に設けられる。切断補助線５５は、凹部５４の上下方向略中央部を通り、カバー部材５１の全幅に亘って正面視略直線状に形成されることが好適である。また、切断補助線６１は、例えば切断補助線５５と表裏方向に対して重なるように形成される。
【００６８】
＜第３実施形態＞
以下、図１４を参照しながら、第３実施形態であるブリスター包装体７０について詳細に説明する。以下では、第１、第２実施形態との相違点を主に説明し、第１、第２実施形態と同一又は類似の構成要素については重複する説明を省略する。図１４は、ブリスター包装体７０の一部を示す正面図である。
【００６９】
図１４に示すように、ブリスター包装体７０は、封止シート８０のみに切断補助線８３ａ，８３ｂ（第１切断補助線）が形成されている点で、ブリスター包装体１０，５０と異なる。そして、ブリスター包装体７０では、切断補助線８３ａ，８３ｂに沿って封止シート８０を切断することにより、収納凹部７２ａ，７２ｂを開封する際の剥離起点となる摘み部がそれぞれ形成される。
【００７０】
封止シート８０には、２本の切断補助線８３ａ，８３ｂが、例えば封止シート８０の全幅に亘って形成されている。摘み形成予定部８４ａは、切断補助線８３ａの一部を収納凹部７２ａと反対側に突出させることで形成でき、摘み形成予定部８４ｂは、切断補助線８３ｂの一部を収納凹部７２ｂと反対側に突出させることで形成できる。図１４に示す例では、１次開封により、互いに反対側に突出した正面視略半円形状の摘み部が形成される。
【００７１】
封止シート８０は、２本の切断補助線８３ａ，８３ｂに挟まれた帯状部８２を有する。そして、各収納凹部７２ａ，７２ｂに対応する部分に設けられた隠蔽層８１ａ，８１ｂに加えて、帯状部８２の表面にも隠蔽層８１ａｂが設けられている。図１４に示す例では、カバー部材７１のフランジ部７３に切欠き７４が形成されており、帯状部８２の長手方向一端部を指で摘むことができるように構成されている。
【００７２】
ブリスター包装体７０によれば、２本の切断補助線８３ａ，８３ｂに沿って帯状部８２を切断することにより、収納凹部７２ａ，７２ｂを開封するための摘み部がそれぞれ形成される。なお、帯状部８２の表面は、非粘着領域であるため、一旦帯状部８２を切断した場合には元の状態に戻すことはできない。つまり、本実施形態においても、収納凹部７２ａ，７２ｂを開封するためには、帯状部８２を切除するという包装体の大きな形状変化を伴う。したがって、収納凹部７２ａ，７２ｂが開封された場合には、一目で判断することができる。
【００７３】
なお、上記各実施形態や変形例を組み合わせた構成とすることもできる。
例えば、第１及び第２実施形態と同様に、ブリスター包装体７０のカバー部材７１に切断補助線を形成して、収納凹部７２ａを含む部分と、収納凹部７２ｂを含む部分とに包装体を分割できるようにしてもよい。
また、上記各実施形態では、各収納凹部に対応する部分に隠蔽層を設ける構成を示したが、例えば、各収納凹部に収納される物品を固定するために、隠蔽層を設けない、又は部分的に隠蔽層を設けた構成としてもよい。
【符号の説明】
【００７４】
＜第１実施形態＞
１０，１０ｖ，１０ｗ，１０ｘ  ブリスター包装体、１１ａ，１１ａｖ，１１ａｗ，１１ａｘ  第１ケース、１１ｂ，１１ｂｖ，１１ｂｗ，１１ｂｘ  第２ケース、１１ｃ  ヘッダー部、２０  カバー部材、２１ａ，２１ｂ  収納凹部、２２ａ，２２ｂ  フランジ部、２４ａ，２４ｂ  ノッチ、２５  吊り下げ孔、２６ａ，２６ｂ  第２切断補助線、３６ａ，３６ｂ  第１切断補助線、３０，３０ｖ，３０ｗ，３０ｘ  封止シート、３０ｚ  長尺体、３１  基材、３２  粘着剤層、３３，３３ａ，３３ｂ，３３ｃ，３３ａｂ，３３ａｃ  隠蔽層、３３ｚ  セパレータ、３４  切欠き、３５ａ，３５ｂ  摘み形成予定部、３７ａ  摘み部、３８  カット線、３９ａ，３９ｂ  粘着領域、４０ａ，４０ｂ  切込み、４１ａ，４１ｂ  強粘着領域
【００７５】
＜第２，３実施形態＞
５０，７０  ブリスター包装体、５１，７１  カバー部材、５２ａ，５２ｂ，７２ａ，７２ｂ  収納凹部、５３ａ，５３ｂ，７３  フランジ部、５４  凹部、５５  第２切断補助線、６１，８３ａ，８３ｂ  第１切断補助線、６０，８０  封止シート、６２ａ，６２ｂ，８４ａ，８４ｂ  摘み形成予定部、６３ａ，６３ｂ  摘み部、６５ａ  第１ケース、６５ｂ  第２ケース、７４  切欠き、８１ａ，８１ｂ，８１ａｂ  隠蔽層、８２  帯状部
【図１】
2015168443.tif 000003
【図２】
2015168443.tif 000004
【図３】
2015168443.tif 000005
【図４】
2015168443.tif 000006
【図５】
2015168443.tif 000007
【図６】
2015168443.tif 000008
【図７】
2015168443.tif 000009
【図８】
2015168443.tif 000010
【図９】
2015168443.tif 000011
【図１０】
2015168443.tif 000012
【図１１Ａ】
2015168443.tif 000013
【図１１Ｂ】
2015168443.tif 000014
【図１２】
2015168443.tif 000015
【図１３】
2015168443.tif 000016
【図１４】
2015168443.tif 000017